(57)【要約】【課題】運搬及び移動が容易で、表示物を表示する部分における面積を変更することができ、かつその表示物の取り替えを比較的容易に行う。【解決手段】起立式表示装置は、第１表示板１１とその上端に上端が枢支された第２表示板１２を備える。第１表示板１１の下端に幅方向に設けられ両端に一対の第１車輪１４が枢支された第１軸１６と、第２表示板１２の下端に幅方向に設けられ両端に一対の第２車輪１７が枢支された第２軸１８と、第１及び第２軸１６，１８を所定の間隔に固定する固定部材２１とを備える。第１及び第２表示板１１，１２が互いに外側に膨出するように湾曲して形成され、第１及び第２表示板１１，１２のいずれか一方又は双方の表面に表示パネル３１が取付けられる。表示パネル３１が表示物３８の周囲を把持可能に構成された縁部材３３を有し、第１及び第２表示板１１，１２の両側部は折り返されて凹溝が形成される。【選択図】　図１
2004020903.tif 000002
【特許請求の範囲】
【請求項１】
第１表示板（１１）と前記第１表示板（１１）の上端に上端が枢支された第２表示板（１２）とを備え、前記第１及び第２表示板（１１，１２）の開かれた下端を接地させることにより起立可能に構成された起立式表示装置において、
前記第１表示板（１１）の下端に幅方向に設けられ両端に一対の第１車輪（１４）が枢支された第１軸（１６）と、
前記第２表示板（１２）の下端に幅方向に設けられ両端に一対の第２車輪（１７）が枢支された第２軸（１８）と、
前記第１及び第２軸（１６，１８）を所定の間隔に固定する固定部材（２１）と
を備えたことを特徴とする起立式表示装置。
【請求項２】
第１及び第２表示板（１１，１２）が互いに外側に膨出するように湾曲して形成され、前記第１及び第２表示板（１１，１２）のいずれか一方又は双方の表面に表示パネル（３１）が取付けられた請求項１記載の起立式表示装置。
【請求項３】
表示パネル（３１）が、背面板（３２）と前記背面板（３２）の周囲に設けられ前記背面板（３２）に重ねられた表示物（３８）の周囲を把持可能に構成された縁部材（３３）とを有する請求項２記載の起立式表示装置。
【請求項４】
第１及び第２表示板（１１，１２）がアルミニウム又はアルミニウム合金からなる板材によりそれぞれ作られ、第１及び第２表示板（１１，１２）の両側部が折り返されて前記第１及び第２表示板（１１，１２）の両側部に凹溝（１１ａ，１２ａ）がそれぞれ形成された請求項１ないし３いずれか記載の起立式表示装置。
【請求項５】
固定部材（２１）は、第２軸（１８）の両側部に設けられた一対の第１被係止部材（２１ａ）と、第１軸（１６）の両側部に基端が枢支され前記第１及び第２軸（１６，１８）が所定の間隔で前記第１被係止部材（２１ａ）に係止可能な係止フック（２１ｄ）が先端に形成された一対の係止部材（２１ｂ）と、前記一対の係止部材（２１ｂ）に架設された金属網（２１ｃ）又は金属板とを備えた請求項１ないし４いずれか記載の起立式表示装置。
【請求項６】
第１及び第２表示板（１１，１２）が重なるように第１及び第２軸（１６，１８）が近接した状態で係止フック（２１ｄ）が係止可能な第２被係止部材（２２）が第２表示板（１２）に設けられた請求項５記載の起立式表示装置。
【発明の詳細な説明】
【０００１】
【発明の属する技術分野】
本発明は、上端が枢支された一対の表示板の開かれた下端を接地させて、道路、地下道、集会場の出入り口等に起立させる起立式表示装置に関するものである。
【０００２】
【従来の技術】
従来、このような起立式表示装置として、図８に示すようなものが知られている。この起立式表示装置における一対の表示板は、枠体１と枠体１に固定された表示板本体３とによりそれぞれ構成され、表示板本体３はその周縁部がビス、リベット等により枠体１に固定される。そして、その表示板本体３に宣伝及び販売促進用のメッセージ等を直接描くか、或いはそのメッセージ等が描かれたいわゆるポスターをこの表示板本体３に貼り付け、道路、地下道、集会場の出入り口等に必要な時期又は時間に運搬又は移動させて起立させることによりそのメッセージ等を公衆に又は特定の会員に表示できるようになっている。よって、この起立式表示装置ではその運搬又は移動が比較的容易であることが必要とされ、図８に示す従来の起立式表示装置では、一対の表示板の上端を枢支することによりその移動又は運搬の際には一対の表示板を重ね合わせた状態で運搬又は移動できるようになっている。
【０００３】
【発明が解決しようとする課題】
しかし、表示すべきメッセージ等が比較的多くなった場合にはそれらを表示すべき表示板自体も大型化し、一対の表示板を重ね合わせただけではその運搬及び移動が困難になる場合がある。また、定期的に宣伝および販売促進用のメッセージを変更する業務に用いられる場合に、そのメッセージ等を表示板本体に直接描くと表示装置をそのまま書換え場所へ運搬するか、表示板本体３を枠体１から取り外して書換え場所へ運搬しなければならないといった不都合がある。この点、表示板本体に表示物を貼り付けた場合には、その表示物を貼り替えるだけで済むけれども、張り替えようとする表示物が以前に張られていた表示物に比較して大きなものになった場合には、その大きさに応じた面積を有する表示板本体３を準備しなければならないという問題点が生じる。
本発明の目的は、運搬及び移動が容易であるとともに、表示物を表示する部分における面積を比較的容易に変更することができ、かつその表示物の取り替えが比較的容易な起立式表示装置を提供することにある。
【０００４】
【課題を解決するための手段】
請求項１に係る発明は、図１に示すように、第１表示板１１と第１表示板１１の上端に上端が枢支された第２表示板１２とを備え、第１及び第２表示板１１，１２の開かれた下端を接地させることにより起立可能に構成された起立式表示装置の改良である。
その特徴ある構成は、第１表示板１１の下端に幅方向に設けられ両端に一対の第１車輪１４が枢支された第１軸１６と、第２表示板１２の下端に幅方向に設けられ両端に一対の第２車輪１７が枢支された第２軸１８と、第１及び第２軸１６，１８を所定の間隔に固定する固定部材２１とを備えたところにある。
この請求項１に係る起立式表示装置では、第１及び第２表示板１１，１２の下端に車輪１４，１７が枢支された軸１６，１８を設けたので、その車輪１４，１７を回転させることにより起立した状態での移動が容易となる。この場合、第１及び第２軸１６，１８を所定の間隔に固定する固定部材２１を備えたので、第１及び第２表示板１１，１２の自重により車輪１４，１７が回転して第１及び第２表示板１１，１２の下端が開くことを防止することができる。
【０００５】
請求項２に係る発明は、請求項１に係る発明であって、第１及び第２表示板１１，１２が互いに外側に膨出するように湾曲して形成され、第１及び第２表示板１１，１２のいずれか一方又は双方の表面に表示パネル３１が取付けられた起立式表示装置である。
この請求項２に係る起立式表示装置では、表示板１１，１２の表面に表示パネル３１を取付けたので、メッセージ等を表示する面積を拡大させることができ、表示パネルの大きさを変えることによりその面積を比較的容易に拡大又は縮小することができる。この場合、第１及び第２表示板１１，１２の上端を超えるような比較的大型の表示パネル３１を第１及び第２表示板１１，１２の双方にそれぞれ取り付けても、第１及び第２表示板１１，１２を湾曲させたので、表示パネル３１の上端が互いに干渉することを防止することができる。
【０００６】
請求項３に係る発明は、請求項２に係る発明であって、図２及び図６に示すように、表示パネル３１が、背面板３２と背面板３２の周囲に設けられ背面板３２に重ねられた表示物３８の周囲を把持可能に構成された縁部材３３とを有する起立式表示装置である。
この請求項３に係る起立式表示装置では、表示物３８の周囲を縁部材３３により把持させるので、その縁部材３３による把持を解除することにより表示物３８を比較的容易に取り替えることができる。
【０００７】
請求項４に係る発明は、請求項１ないし３いずれかに係る発明であって、第１及び第２表示板１１，１２がアルミニウム又はアルミニウム合金からなる板材によりそれぞれ作られ、第１及び第２表示板１１，１２の両側部が折り返されて第１及び第２表示板１１，１２の両側部に凹溝１１ａ，１２ａがそれぞれ形成された起立式表示装置である。
この請求項４に係る起立式表示装置では、第１及び第２表示板１１，１２を比較的比重の軽いアルミニウム又はアルミニウム合金からなる板材により作るので、起立式表示装置自体の重心を低くすることができ、この装置が接地された状態における安定性を向上させることができる。また、第１及び第２表示板１１，１２の両側部に凹溝１１ａ，１２ａをそれぞれ形成したので、この凹溝１１ａ，１２ａに更に表示物３８を挿入することにより、その表示物３８を第１及び第２表示板１１，１２に比較的容易に表示させることができる。
【０００８】
請求項５に係る発明は、請求項１ないし４いずれかに係る発明であって、固定部材２１は、第２軸１８の両側部に設けられた一対の第１被係止部材２１ａと、第１軸１６の両側部に基端が枢支され第１及び第２軸１６，１８が所定の間隔で第１被係止部材２１ａに係止可能な係止フック２１ｄが先端に形成された一対の係止部材２１ｂと、一対の係止部材２１ｂに架設された金属網２１ｃ又は金属板とを備えた起立式表示装置である。
この請求項５に係る起立式表示装置では、第１被係止部材２１ａから係止フック２１ｄを離脱させると閉止部材２１ｂは第１軸１６に枢支された基端を中心として回転するので、第１及び第２表示板１１，１２を比較的容易に重ね合わせて収容することが可能になる。また、表示装置を起立させた状態で金属網２１ｃ又は金属板に重しを搭載すれば、起立式表示装置自体の重心を更に低くすることができ、この装置が接地された状態における安定性を更に向上させることができる。なお、金属網２１ｃは金属板に比較して軽いけれども、風は金属網２１ｃを比較的容易に透過するので、重しを搭載しない場合に、風により金属網２１ｃが煽られて第１被係止部材２１ａから係止フック２１ｄが離脱するようなことはない。
【０００９】
請求項６に係る発明は、請求項５に係る発明であって、第１及び第２表示板１１，１２が重なるように第１及び第２軸１６，１８が近接した状態で係止フック２１ｄが係止可能な第２被係止部材２２が第２表示板１２に設けられた起立式表示装置である。
この請求項６に係る起立式表示装置では、第１被係止部材２１ａから離脱させた係止フック２１ｄを、第１及び第２表示板１１，１２を重ね合わせた状態で第２係止部材２２に係止させることによりその状態を維持することができ、第１及び第２表示板１１，１２の下端が不用意に開かれることは防止され、その取り扱いが容易になる。
【００１０】
【発明の実施の形態】
次に本発明の実施の形態を図面に基づいて説明する。
図１に示すように、本発明の起立式表示装置１０は、第１表示板１１とその第１表示板１１の上端に上端が枢支された第２表示板１２とを備える。第１及び第２表示板１１，１２は、アルミニウム又はアルミニウム合金からなる板材を互いに外側に膨出するように湾曲させることにより作られる。この第１及び第２表示板１１，１２の両側部はそれぞれ折り返されてそれらの両側部には凹溝１１ａ，１２ａ（図４）がそれぞれ形成される。第１及び第２表示板１１，１２の上端はヒンジ１３（図１）が取付けられ、この第１及び第２表示板１１，１２の上端はこのヒンジ１３により枢支される。
【００１１】
第１表示板１１の下端には、両端に一対の第１車輪１４が枢支された１第１軸１６が幅方向に設けられ、第２表示板１２の下端には、両端に一対の第２車輪１７が枢支された第２軸１８が幅方向に設けられる。第１車輪及び第２車輪１４，１７はそれぞれホイール１４ａ，１７ａにゴム製のタイヤ１４ｂ，１７ｂが嵌着されることにより作られ、第１及び第２軸１６，１８は同一構造の中空の鋼棒により作られる（図７）。更に図７に示すように、表示板１１，１２の下端に第１及び第２軸１６，１８はそれぞれ溶接により固着され、第１及び第２軸１６，１８の両端には車輪１４，１７を枢支するための支軸１６ａ，１８ａが突出してそれぞれ溶接される。支軸１６ａ，１８ａの先端には周方向に周溝１６ｂ（図７）が形成され、車輪１４，１７が支軸１６ａ，１８ａに嵌入された状態で、この周溝１６ｂにＣ型止輪１９が装着され、このＣ型止輪１９により車輪１４，１７はその支軸１６ａ，１８ａから抜け出ることが防止される。
【００１２】
図１に戻って、起立式表示装置１０には、第１及び第２軸１６，１８を所定の間隔に固定する固定部材２１が設けられる。図４に示すように、固定部材２１は、第２軸１８の両側部に設けられた一対の第１被係止部材２１ａと、第１軸１６の両側部に基端が枢支された一対の係止部材２１ｂと、この一対の係止部材２１ｂに架設された金属網２１ｃとを備える。この実施の形態における第１被係止部材２１ａは、第２軸１８の両側部に設けられたＵ字状の金具であり、第２表示板１２の幅より僅かに広い間隔を開けて第１軸１６に向かって突出するように溶接される。一対の係止部材２１ｂは先端が折り曲げられた鋼棒であり、折り曲げられた先端により係止フック２１ｄが構成される。この一対の係止部材２１ｂは、第１及び第２軸１６，１８が所定の間隔でＵ字状の第１被係止部材２１ａに折り曲げられた先端からなるフック２１ｄが上側から挿入することによりその第１被係止部材２１ａに係止可能な長さに形成される。金属網２１ｃは相対向する二辺が一対の係止部材２１ｂの間隔に略等しく、他の相対向する二辺が第１及び第２軸１６，１８における所定の間隔より僅かに短く形成され、先の相対向する二辺が一対の係止部材２１ｂに溶接されてその一対の係止部材２１ｂに架設される。
【００１３】
第１被係止部材２１ａから係止部材２１ｂの先端におけるフック２１ｄを引き抜いてその係止を解除し、図３に示すように、第１及び第２表示板１１，１２が重なるようにすると第１及び第２軸１６，１８が近接する。このように第１及び第２軸１６，１８が近接した状態で係止フック２１ｄが係止可能な第２被係止部材２２が第２表示板１２に設けられる。図４に示すように、この第２被係止部材２２は、Ｕ字状に折り曲げられた金具であり、第２表示板１２に側方に突出するように溶接される。そして係止部材２１ｂの先端における係止フック２１ｄがこの第２被係止部材２２に係止されると、図３に示すように第１及び第２表示板１１，１２の下端における自由な開閉が防止され、第１及び第２表示板１１，１２を重ね合わせた状態を維持することができるように構成される。
【００１４】
図１及び図２に示すように、第１及び第２表示板１１，１２の双方の表面には表示パネル３１が取付けられる。図２に示すように、この実施の形態における表示パネル３１は、背面板３２とその背面板３２の周囲に設けられた縁部材３３を有する。縁部材３３は、４個の円弧状に形成されたコーナ部材３４とともに、背面板３２の周辺部に沿って配置される４本のフレーム部材３６とからなる。背面板３２は正方形または長方形の形状を有する木製の板である。図５及び図６に示すように、フレーム部材３６のそれぞれは底部材３６ａとカバー部材３６ｂを含む。底部材３６ａとカバー部材３６ｂは蝶番止めされて一体化される。図６に示すように、蝶番の機構は底部材３６ａに形成されたレール３６ｃとカバー部材３６ｂに設けられた対応する横長のカップ部３６ｄとからなる。そしてカバー部材３６ｂの先端に形成されたくぼみ３６ｅと底部材３６ａのカップ部３６ｄ近傍に形成された溝３６ｆとの間には、スチールからなるバネ部材３７が配置される。
【００１５】
カバー部材３６ｂと底部材３６ａとが閉じた位置にある時、バネ部材３７はそれらをしっかりと保持する。これにより、背面板に３２に重ねられたポスターまたはその他の宣伝促進用の表示物３８はフレーム部材３６がその周囲をしっかりと保持する。表示物３８を交換するとき、図６の一点鎖線で示す開放位置までカバー部材３６ｂを回転させる。背面板３２の周辺部のフレーム部材３６のすべてのカバー部材３６ｂがその開放位置にまで回転されると、表示物３８は容易に取り除かれ、交換される。カバー部材３６ｂが図６の一点鎖線で示される位置にまで開放されると、バネ部材３７はその位置でカバー部材３６ｂを保持する。即ち、フレーム部材３６の所定の場所に表示物３８を保持し或いは把持し、そして、表示物３８を変更または交換する為にカバー部材３６ｂがその開の位置まで回転させることができる。
【００１６】
図５に示すように、コーナ部材３４は、直交するフレーム部材３６の端部を覆うような円孔状に形成され、直交するフレーム部材３６に突出する一対の脚部３４ａが形成される。この脚部３４ａはフレーム部材３６における底部材３６ａの中に形成された溝３６ｇの中に挿入されて取付けられ、それによりコーナ部材３４はフレーム部材３６に保持される。
【００１７】
図６に示すように、表示パネル３１の第１及び第２表示板１１，１２への取付けは、ねじ手段により行われる。即ち、第１及び第２表示板１１，１２の折り返された両側部における折り返し片１１ｂに雄ねじ４１が設けられ、第１及び第２表示板１１，１２が湾曲していることに起因して生じる隙間に相当する長さを有するスペーサ４２がその雄ねじ４１に嵌入される。その雄ねじ４１はフレーム部材３６における底部材３６ａの中に形成された溝３６ｇに貫通し、雌ねじ４３を螺合することにより表示パネル３１は第１及び第２表示板１１，１２に取付けられる。
【００１８】
このように構成された起立式表示装置を用いて宣伝及び販売促進用のメッセージ等が描かれた表示物を表示する動作を説明する。
表示物３８を第１及び第２表示板１１，１２に表示させる場合、図６に示すように、その表示物３８を第１及び第２表示板１１，１２に重ね合わせ、その両側部を第１及び第２表示板１１，１２の両側部に形成された凹溝１１ａ，１２ａに挿入する。これによりその表示物３８を第１及び第２表示板１１，１２に表示させることができる。この場合、表示物３８の表面を保護するための透明又は半透明の保護板４７をその表示物に重ね合わせるようにして、その両側部を凹溝１１ａ，１２ａに挿入しておくことが好ましい。
【００１９】
表示すべき表示物３８が第１及び第２表示板１１，１２に表示できないほど大きな場合には、その表示物３８を表示し得る表示パネル３１を表示板１１，１２の表面に取付け、表示物３８を表示するための面積を拡大させる。表示パネル３１への表示物３８を表示させるには、表示物３８の周囲を縁部材３３により把持させることにより行われる。この場合、第１及び第２表示板１１，１２の一部は表示パネル３１により覆われるけれども、表示パネル３１により覆われない第１及び第２表示板１１，１２の他の部分には別の表示物３８を表示させることができる。一方、表示パネル３１が大きく、第１及び第２表示板１１，１２の上端を超えるような比較的大型の表示パネル３１を第１及び第２表示板１１，１２の双方にそれぞれ取り付けても、第１及び第２表示板１１，１２を湾曲させたので、その表示パネル３１の上端は図１の一点鎖線で示すように互いに干渉することはなく、比較的大型の表示物３８であっても表示パネル３１に有効に表示させることができる。
【００２０】
表示パネル３１並びに第１及び第２表示板１１，１２に表示物３８が表示された後、その表示装置１０を起立させるべき道路、地下道、集会場の出入り口等にまで運搬又は移動させ、第１及び第２表示板１１，１２の下端を開いて接地させる。車両等による装置の運搬に際しては、第１及び第２表示板１１，１２を重ね合わせた状態で、係止フック２１ｄを第２係止部材２２に係止させてその状態を維持することにより、その取り扱いを容易にすることができる。
【００２１】
一方、装置を移動させる場合には、第１及び第２表示板１１，１２の下端を開いた状態で行うことが好ましい。即ち、第１及び第２表示板１１，１２の下端を開いた後、固定部材２１により第１及び第２軸１６，１８を所定の間隔に固定し、その状態で装置を押すか或いは引くことにより車輪１４，１７が回転し、装置が移動する。そしてその装置を起立させるべき場所において車輪１４，１７の回転を固定し、その場所に起立させる。車輪１４，１７の固定は、図１に示すような車止め４６を用いることにより行うことができるが、車輪１４，１７にストッパ機能を持たせても良い。車輪１４，１７にストッパ機能を持たせた場合には、このストッパ機能により車輪１４，１７の回転を固定することにより、その装置の移動を防止することができる。
【００２２】
ここで、第１及び第２表示板１１，１２を比較的比重の軽いアルミニウム又はアルミニウム合金からなる板材により作り、第１及び第２軸１６．１８を比較的比重の高い鋼材により作ったので、起立式表示装置自体の重心は低くなり、この装置が接地された状態における安定性は向上する。そして、固定部材２１は第１及び第２軸１６，１８を所定の間隔に固定するので、第１及び第２表示板１１，１２の自重により車輪１４，１７が回転して第１及び第２表示板１１，１２下端が開いて、転倒することを防止することができる。なお、起立させる場所における風が比較的強い場合には、固定部材２１における金属網２１ｃに重しを搭載する。すると起立式表示装置自体の重心は更に低くなり、その安定性は更に向上する。なお、重しを搭載しない場合であっても、風は金属網２１ｃを比較的容易に透過するので、風により金属網２１ｃが煽られて第１被係止部材２１ａから係止フック２１ｄが離脱するようなことはない。
【００２３】
表示物３８を替える場合、その表示物３８が第１及び第２表示板１１，１２に表示されたものである場合には、表示物をその両側部に形成された凹溝１１ａ，１２ａから取り外して新たな表示物３８を第１及び第２表示板１１，１２に重ね合わせ、その両側部をその凹溝１１ａ，１２ａに挿入することにより比較的容易に表示筒３８を取り替えることができる。一方、表示物３８が表示パネル３１に表示されているものである場合には、表示パネル３１における縁部材３３から表示物３８の周囲を離脱させ、新たな表示物３８における周囲をその縁部材３３により把持させることにより、表示物３８を比較的容易に取り替えることができる。取り替えようとする表示物が以前に取付けられていた表示物に比較して大きなものになった場合には、以前取付けられていた表示パネル３１に換えてその大きさに応じた面積を有する表示パネル３１を表示板１１，１２の表面に取付ける。このように表示パネルの大きさを変えることにより、表示物３８を表示すべき面積を比較的容易に拡大又は縮小することができる。
【００２４】
なお、上述した実施の形態では、第１及び第２表示板１１，１２の双方の表面に表示パネル３１を取付けた例を示したが、表示パネル３１は第１及び第２表示板１１，１２のいずれか一方に取付けても良い。
また、上述した実施の形態では、一対の係止部材２１ｂに金属網２１ｃを架設する場合を示したが、一対の係止部材２１ｂには金属板を架設させても良い。金属板は金属網に比較して重いので、起立式表示装置自体の重心を低くすることができ、この金属板に重しを搭載すればその重心を更に低くして、その安定性を更に向上させることができる。
【００２５】
【発明の効果】
以上述べたように、本発明によれば、第１表示板の下端に第１車輪が枢支された第１軸を設け、第２表示板の下端に第２車輪が枢支された第２軸を設けたので、その運搬及び移動が容易となる。また、第１及び第２表示板を互いに外側に膨出するように湾曲して形成し、第１及び第２表示板のいずれか一方又は双方の表面に表示パネルを取付ければ、メッセージ等を表示する面積を拡大させることができ、表示パネルの大きさを変えることによりその面積を比較的容易に拡大又は縮小することもできる。この場合、第１及び第２表示板の上端を超えるような比較的大型の表示パネルを第１及び第２表示板の双方にそれぞれ取り付けても、第１及び第２表示板を湾曲させることにより表示パネルの上端が互いに干渉することを防止することができる。
また、表示パネルが、表示物の周囲を把持可能に構成された縁部材を有すれば、その縁部材による把持を解除することにより表示物を比較的容易に取り替えることができる。一方、第１及び第２表示板の両側部を折り返してその両側部に凹溝を形成すれば、この凹溝に表示物を挿入することにより容易にその表示物を第１及び第２表示板に表示させることができる。
【図面の簡単な説明】
【図１】本発明の起立式表示装置を示す側面図。
【図２】その装置の正面図。
【図３】第１及び第２表示板が閉じられた状態を示す図１に対応する図。
【図４】その固定部材の構造を示す斜視図。
【図５】その表示パネルの構造を示す図２のＡ部における拡大斜視図。
【図６】その表示パネルの取付状態を示す図２のＢ−Ｂ線断面図。
【図７】車輪の取付状態を示す断面図。
【図８】従来の起立式表示装置を示す斜視図。
【符号の説明】
１１　第１表示板
１１ａ　凹溝
１２　第２表示板
１２ａ　凹溝
１４　第１車輪
１６　第１軸
１７　第２車輪
１８　第２軸
２１　固定部材
２１ａ　第１被係止部材
２１ｂ　係止部材
２１ｃ　金属網
２１ｄ　係止フック
２２　第２被係止部材
３１　表示パネル
３２　背面板
３３　縁部材
３８　表示物
【図１】
2004020903.tif 000003
【図２】
2004020903.tif 000004
【図３】
2004020903.tif 000005
【図４】
2004020903.tif 000006
【図５】
2004020903.tif 000007
【図６】
2004020903.tif 000008
【図７】
2004020903.tif 000009
【図８】
2004020903.tif 000010
【手続補正書】
【提出日】平成15年1月27日(2003.1.27)
【手続補正１】
【補正対象書類名】明細書
【補正対象項目名】特許請求の範囲
【補正方法】変更
【補正の内容】
【特許請求の範囲】
【請求項１】
第１表示板（１１）と前記第１表示板（１１）の上端に上端が枢支された第２表示板（１２）とを備え、前記第１及び第２表示板（１１，１２）の開かれた下端を接地させることにより起立可能に構成された起立式表示装置において、
前記第１及び第２表示板（１１，１２）が互いに外側に膨出するように湾曲して形成され、
前記第１及び第２表示板（１１，１２）のいずれか一方又は双方の表面に表示パネル（３１）が取付けられた
ことを特徴とする起立式表示装置。
【請求項２】
表示パネル（３１）が、背面板（３２）と前記背面板（３２）の周囲に設けられ前記背面板（３２）に重ねられた表示物（３８）の周囲を把持可能に構成された縁部材（３３）とを有する請求項１記載の起立式表示装置。
【請求項３】
第１及び第２表示板（１１，１２）がアルミニウム又はアルミニウム合金からなる板材によりそれぞれ作られ、第１及び第２表示板（１１，１２）の両側部が折り返されて前記第１及び第２表示板（１１，１２）の両側部に凹溝（１１ａ，１２ａ）がそれぞれ形成された請求項１又は２記載の起立式表示装置。
【請求項４】
第１表示板（１１）の下端に幅方向に設けられ両端に一対の第１車輪（１４）が枢支された第１軸（１６）と、第２表示板（１２）の下端に幅方向に設けられ両端に一対の第２車輪（１７）が枢支された第２軸（１８）と、前記第１及び第２軸（１６，１８）を所定の間隔に固定する固定部材（２１）とを更に備えた請求項１ないし３いずれか１項に記載の起立式表示装置。
【請求項５】
固定部材（２１）は、第２軸（１８）の両側部に設けられた一対の第１被係止部材（２１ａ）と、第１軸（１６）の両側部に基端が枢支され前記第１及び第２軸（１６，１８）が所定の間隔で前記第１被係止部材（２１ａ）に係止可能な係止フック（２１ｄ）が先端に形成された一対の係止部材（２１ｂ）と、前記一対の係止部材（２１ｂ）に架設された金属網（２１ｃ）又は金属板とを備えた請求項４記載の起立式表示装置。
【請求項６】
第１及び第２表示板（１１，１２）が重なるように第１及び第２軸（１６，１８）が近接した状態で係止フック（２１ｄ）が係止可能な第２被係止部材（２２）が第２表示板（１２）に設けられた請求項５記載の起立式表示装置。
【手続補正２】
【補正対象書類名】明細書
【補正対象項目名】０００４
【補正方法】変更
【補正の内容】
【０００４】
【課題を解決するための手段】
請求項１に係る発明は、図１に示すように、第１表示板１１と第１表示板１１の上端に上端が枢支された第２表示板１２とを備え、第１及び第２表示板１１，１２の開かれた下端を接地させることにより起立可能に構成された起立式表示装置の改良である。
その特徴ある構成は、第１及び第２表示板１１，１２が互いに外側に膨出するように湾曲して形成され、第１及び第２表示板１１，１２のいずれか一方又は双方の表面に表示パネル３１が取付けられたところにある。
この請求項１に係る起立式表示装置では、表示板１１，１２の表面に表示パネル３１を取付けたので、メッセージ等を表示する面積を拡大させることができ、表示パネルの大きさを変えることによりその面積を比較的容易に拡大又は縮小することができる。この場合、第１及び第２表示板１１，１２の上端を超えるような比較的大型の表示パネル３１を第１及び第２表示板１１，１２の双方にそれぞれ取り付けても、第１及び第２表示板１１，１２を湾曲させたので、表示パネル３１の上端が互いに干渉することを防止することができる。
【手続補正３】
【補正対象書類名】明細書
【補正対象項目名】０００５
【補正方法】変更
【補正の内容】
【０００５】
請求項２に係る発明は、請求項１に係る発明であって、図２及び図６に示すように、表示パネル３１が、背面板３２と背面板３２の周囲に設けられ背面板３２に重ねられた表示物３８の周囲を把持可能に構成された縁部材３３とを有する起立式表示装置である。
この請求項２に係る起立式表示装置では、表示物３８の周囲を縁部材３３により把持させるので、その縁部材３３による把持を解除することにより表示物３８を比較的容易に取り替えることができる。
【手続補正４】
【補正対象書類名】明細書
【補正対象項目名】０００６
【補正方法】変更
【補正の内容】
【０００６】
請求項３に係る発明は、請求項１又は２に係る発明であって、第１及び第２表示板１１，１２がアルミニウム又はアルミニウム合金からなる板材によりそれぞれ作られ、第１及び第２表示板１１，１２の両側部が折り返されて第１及び第２表示板１１，１２の両側部に凹溝１１ａ，１２ａがそれぞれ形成された起立式表示装置である。
この請求項３に係る起立式表示装置では、第１及び第２表示板１１，１２を比較的比重の軽いアルミニウム又はアルミニウム合金からなる板材により作るので、起立式表示装置自体の重心を低くすることができ、この装置が接地された状態における安定性を向上させることができる。また、第１及び第２表示板１１，１２の両側部に凹溝１１ａ，１２ａをそれぞれ形成したので、この凹溝１１ａ，１２ａに更に表示物３８を挿入することにより、その表示物３８を第１及び第２表示板１１，１２に比較的容易に表示させることができる。
【手続補正５】
【補正対象書類名】明細書
【補正対象項目名】０００７
【補正方法】変更
【補正の内容】
【０００７】
請求項４に係る発明は、請求項１ないし３いずれかに係る発明であって、第１表示板１１の下端に幅方向に設けられ両端に一対の第１車輪１４が枢支された第１軸１６と、第２表示板１２の下端に幅方向に設けられ両端に一対の第２車輪１７が枢支された第２軸１８と、第１及び第２軸１６，１８を所定の間隔に固定する固定部材２１とを更に備えた起立式表示装置である。
この請求項４に係る起立式表示装置では、第１及び第２表示板１１，１２の下端に車輪１４，１７が枢支された軸１６，１８を設けたので、その車輪１４，１７を回転させることにより起立した状態での移動が容易となる。この場合、第１及び第２軸１６，１８を所定の間隔に固定する固定部材２１を備えたので、第１及び第２表示板１１，１２の自重により車輪１４，１７が回転して第１及び第２表示板１１，１２の下端が開くことを防止することができる。
【手続補正６】
【補正対象書類名】明細書
【補正対象項目名】０００８
【補正方法】変更
【補正の内容】
【０００８】
請求項５に係る発明は、請求項４に係る発明であって、固定部材２１は、第２軸１８の両側部に設けられた一対の第１被係止部材２１ａと、第１軸１６の両側部に基端が枢支され第１及び第２軸１６，１８が所定の間隔で第１被係止部材２１ａに係止可能な係止フック２１ｄが先端に形成された一対の係止部材２１ｂと、一対の係止部材２１ｂに架設された金属網２１ｃ又は金属板とを備えた起立式表示装置である。
この請求項５に係る起立式表示装置では、第１被係止部材２１ａから係止フック２１ｄを離脱させると閉止部材２１ｂは第１軸１６に枢支された基端を中心として回転するので、第１及び第２表示板１１，１２を比較的容易に重ね合わせて収容することが可能になる。また、表示装置を起立させた状態で金属網２１ｃ又は金属板に重しを搭載すれば、起立式表示装置自体の重心を更に低くすることができ、この装置が接地された状態における安定性を更に向上させることができる。なお、金属網２１ｃは金属板に比較して軽いけれども、風は金属網２１ｃを比較的容易に透過するので、重しを搭載しない場合に、風により金属網２１ｃが煽られて第１被係止部材２１ａから係止フック２１ｄが離脱するようなことはない。


【手続補正７】
【補正対象書類名】明細書
【補正対象項目名】００１１
【補正方法】変更
【補正の内容】
【００１１】
第１表示板１１の下端には、両端に一対の第１車輪１４が枢支された第１軸１６が幅方向に設けられ、第２表示板１２の下端には、両端に一対の第２車輪１７が枢支された第２軸１８が幅方向に設けられる。第１車輪及び第２車輪１４，１７はそれぞれホイール１４ａ，１７ａにゴム製のタイヤ１４ｂ，１７ｂが嵌着されることにより作られ、第１及び第２軸１６，１８は同一構造の中空の鋼棒により作られる（図７）。更に図７に示すように、表示板１１，１２の下端に第１及び第２軸１６，１８はそれぞれ溶接により固着され、第１及び第２軸１６，１８の両端には車輪１４，１７を枢支するための支軸１６ａ，１８ａが突出してそれぞれ溶接される。支軸１６ａ，１８ａの先端には周方向に周溝１６ｂ（図７）が形成され、車輪１４，１７が支軸１６ａ，１８ａに嵌入された状態で、この周溝１６ｂにＣ型止輪１９が装着され、このＣ型止輪１９により車輪１４，１７はその支軸１６ａ，１８ａから抜け出ることが防止される。




【手続補正書】
【提出日】平成15年5月23日(2003.5.23)
【手続補正１】
【補正対象書類名】明細書
【補正対象項目名】特許請求の範囲
【補正方法】変更
【補正の内容】
【特許請求の範囲】
【請求項１】
第１表示板（１１）と前記第１表示板（１１）の上端に上端が枢支された第２表示板（１２）とを備え、前記第１及び第２表示板（１１，１２）の開かれた下端を接地させることにより起立可能に構成された起立式表示装置において、
前記第１及び第２表示板（１１，１２）が互いに外側に膨出するように湾曲して形成され、
前記第１及び第２表示板（１１，１２）の両側部が折り返されて表示物（３８）の両側部を挿入するための凹溝（１１ａ，１２ａ）が前記第１及び第２表示板（１１，１２）の両側部にそれぞれ形成され、
前記第１及び第２表示板（１１，１２）のいずれか一方又は双方の表面に表示パネル（３１）が取付けられた
ことを特徴とする起立式表示装置。
【請求項２】
表示パネル（３１）が、背面板（３２）と前記背面板（３２）の周囲に設けられ前記背面板（３２）に重ねられた表示物（３８）の周囲を把持可能に構成された縁部材（３３）とを有する請求項１記載の起立式表示装置。
【請求項３】
第１及び第２表示板（１１，１２）がアルミニウム又はアルミニウム合金からなる板材によりそれぞれ作られた請求項１又は２記載の起立式表示装置。
【請求項４】
第１表示板（１１）の下端に幅方向に設けられ両端に一対の第１車輪（１４）が枢支された第１軸（１６）と、第２表示板（１２）の下端に幅方向に設けられ両端に一対の第２車輪（１７）が枢支された第２軸（１８）と、前記第１及び第２軸（１６，１８）を所定の間隔に固定する固定部材（２１）とを更に備えた請求項１ないし３いずれか１項に記載の起立式表示装置。
【請求項５】
固定部材（２１）は、第２軸（１８）の両側部に設けられた一対の第１被係止部材（２１ａ）と、第１軸（１６）の両側部に基端が枢支され前記第１及び第２軸（１６，１８）が所定の間隔で前記第１被係止部材（２１ａ）に係止可能な係止フック（２１ｄ）が先端に形成された一対の係止部材（２１ｂ）と、前記一対の係止部材（２１ｂ）に架設された金属網（２１ｃ）又は金属板とを備えた請求項４記載の起立式表示装置。
【請求項６】
第１及び第２表示板（１１，１２）が重なるように第１及び第２軸（１６，１８）が近接した状態で係止フック（２１ｄ）が係止可能な第２被係止部材（２２）が第２表示板（１２）に設けられた請求項５記載の起立式表示装置。
【手続補正２】
【補正対象書類名】明細書
【補正対象項目名】０００４
【補正方法】変更
【補正の内容】
【０００４】
【課題を解決するための手段】
請求項１に係る発明は、図１に示すように、第１表示板１１と第１表示板１１の上端に上端が枢支された第２表示板１２とを備え、第１及び第２表示板１１，１２の開かれた下端を接地させることにより起立可能に構成された起立式表示装置の改良である。
その特徴ある構成は、第１及び第２表示板１１，１２が互いに外側に膨出するように湾曲して形成され、第１及び第２表示板１１，１２の両側部が折り返されて表示物３８の両側部を挿入するための凹溝１１ａ，１２ａが第１及び第２表示板１１，１２の両側部にそれぞれ形成され、第１及び第２表示板１１，１２のいずれか一方又は双方の表面に表示パネル３１が取付けられたところにある。
この請求項１に係る起立式表示装置では、第１及び第２表示板１１，１２の両側部に凹溝１１ａ，１２ａをそれぞれ形成したので、この凹溝１１ａ，１２ａに表示物３８を挿入することにより、その表示物３８を第１及び第２表示板１１，１２に比較的容易に表示させることができる。また、表示板１１，１２の表面に表示パネル３１を取付けたので、メッセージ等を表示する面積を拡大させることができ、表示パネルの大きさを変えることによりその面積を比較的容易に拡大又は縮小することができる。この場合、第１及び第２表示板１１，１２の上端を超えるような比較的大型の表示パネル３１を第１及び第２表示板１１，１２の双方にそれぞれ取り付けても、第１及び第２表示板１１，１２を湾曲させたので、表示パネル３１の上端が互いに干渉することを防止することができる。


【手続補正３】
【補正対象書類名】明細書
【補正対象項目名】０００６
【補正方法】変更
【補正の内容】
【０００６】
請求項３に係る発明は、請求項１又は２に係る発明であって、第１及び第２表示板１１，１２がアルミニウム又はアルミニウム合金からなる板材によりそれぞれ作られた起立式表示装置である。
この請求項３に係る起立式表示装置では、第１及び第２表示板１１，１２を比較的比重の軽いアルミニウム又はアルミニウム合金からなる板材により作るので、起立式表示装置自体の重心を低くすることができ、この装置が接地された状態における安定性を向上させることができる。